【手続補正書】
【提出日】令和3年9月27日(2021.9.27)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
タイプ０物理ダウンリンク制御チャネル（ＰＤＣＣＨ）共通探索空間制御リソースセット（ＣＯＲＥＳＥＴ）時間リソースへの同期信号ブロック（ＳＳＢ）時間リソースのマッピングを記憶することと、
ＳＳＢ時間リソースのインジケーションを受信することと、
前記マッピングと前記インジケーションとに基づいてタイプ０  ＰＤＣＣＨ共通探索空間ＣＯＲＥＳＥＴ時間リソースのロケーションを決定することと、
タイプ０  ＰＤＣＣＨ共通探索空間ＣＯＲＥＳＥＴ中でタイプ０  ＰＤＣＣＨを受信することと
を備え、タイプ０  ＰＤＣＣＨ共通探索空間ＣＯＲＥＳＥＴ時間リソースの前記ロケーションは、前記タイプ０  ＰＤＣＣＨ共通探索空間ＣＯＲＥＳＥＴ時間リソースが多重化されるダウンリンク時間リソースに対応し、
前記ダウンリンク時間リソースは、１つまたは複数のＳＳＢ時間リソースを備えるダウンリンク時間リソースの第１のセットとＳＳＢ時間リソースを備えないダウンリンク時間リソースの第２のセットとを備え、前記タイプ０  ＰＤＣＣＨ共通探索空間ＣＯＲＥＳＥＴ時間リソースは、最初に、ダウンリンク時間リソースの前記第１のセットにマッピングされ、次いで、ダウンリンク時間リソースの前記第２のセットにマッピングされる、方法。
【請求項２】
タイプ０  ＰＤＣＣＨ共通探索空間ＣＯＲＥＳＥＴ時間リソースのロケーションを決定することは、前記タイプ０  ＰＤＣＣＨ共通探索空間ＣＯＲＥＳＥＴが送信される周波数リソースにさらに基づく、
請求項１に記載の方法。
【請求項３】
タイプ０  ＰＤＣＣＨ共通探索空間ＣＯＲＥＳＥＴ時間リソースのロケーションを決定することは、前記ＳＳＢのサブキャリア間隔と前記タイプ０  ＰＤＣＣＨ共通探索空間ＣＯＲＥＳＥＴのサブキャリア間隔とにさらに基づく、
請求項１に記載の方法。
【請求項４】
前記マッピングは、前記ＳＳＢ時間リソースと前記タイプ０  ＰＤＣＣＨ共通探索空間ＣＯＲＥＳＥＴ時間リソースとの間での１対１のマッピングを備える、
請求項１に記載の方法。
【請求項５】
前記マッピングは、前記ＳＳＢ時間リソースと前記タイプ０  ＰＤＣＣＨ共通探索空間ＣＯＲＥＳＥＴ時間リソースとの間での多対１のマッピングを備える、
請求項１に記載の方法。
【請求項６】
装置であって、
実行可能命令を備える非一時的メモリと、
前記メモリとデータ通信するプロセッサと
を備え、前記プロセッサは、前記装置に、
タイプ０物理ダウンリンク制御チャネル（ＰＤＣＣＨ）共通探索空間制御リソースセット（ＣＯＲＥＳＥＴ）時間リソースへの同期信号ブロック（ＳＳＢ）時間リソースのマッピングを記憶することと、
ＳＳＢ時間リソースのインジケーションを受信することと、
前記マッピングと前記インジケーションとに基づいてタイプ０  ＰＤＣＣＨ共通探索空間ＣＯＲＥＳＥＴ時間リソースのロケーションを決定することと、
タイプ０  ＰＤＣＣＨ共通探索空間ＣＯＲＥＳＥＴ中でタイプ０  ＰＤＣＣＨを受信することと
を行わせるために前記命令を実行するように構成され、タイプ０  ＰＤＣＣＨ共通探索空間ＣＯＲＥＳＥＴ時間リソースの前記ロケーションは、前記タイプ０  ＰＤＣＣＨ共通探索空間ＣＯＲＥＳＥＴ時間リソースが多重化されるダウンリンク時間リソースに対応し、
前記ダウンリンク時間リソースは、１つまたは複数のＳＳＢ時間リソースを備えるダウンリンク時間リソースの第１のセットとＳＳＢ時間リソースを備えないダウンリンク時間リソースの第２のセットとを備え、前記タイプ０  ＰＤＣＣＨ共通探索空間ＣＯＲＥＳＥＴ時間リソースは、最初に、ダウンリンク時間リソースの前記第１のセットにマッピングされ、次いで、ダウンリンク時間リソースの前記第２のセットにマッピングされる、装置。
【請求項７】
タイプ０  ＰＤＣＣＨ共通探索空間ＣＯＲＥＳＥＴ時間リソースのロケーションを決定することは、前記タイプ０  ＰＤＣＣＨ共通探索空間ＣＯＲＥＳＥＴが送信される周波数リソースにさらに基づく、
請求項６に記載の装置。
【請求項８】
タイプ０  ＰＤＣＣＨ共通探索空間ＣＯＲＥＳＥＴ時間リソースのロケーションを決定することは、前記ＳＳＢのサブキャリア間隔と前記タイプ０  ＰＤＣＣＨ共通探索空間ＣＯＲＥＳＥＴのサブキャリア間隔とにさらに基づく、
請求項６に記載の装置。
【請求項９】
前記マッピングは、前記ＳＳＢ時間リソースと前記タイプ０  ＰＤＣＣＨ共通探索空間ＣＯＲＥＳＥＴ時間リソースとの間での１対１のマッピングを備える、
請求項６に記載の装置。
【請求項１０】
前記マッピングは、前記ＳＳＢ時間リソースと前記タイプ０  ＰＤＣＣＨ共通探索空間ＣＯＲＥＳＥＴ時間リソースとの間での多対１のマッピングを備える、
請求項６に記載の装置。
【請求項１１】
タイプ０物理ダウンリンク制御チャネル（ＰＤＣＣＨ）共通探索空間制御リソースセット（ＣＯＲＥＳＥＴ）時間リソースへの同期信号ブロック（ＳＳＢ）時間リソースのマッピングを記憶することと、
ＳＳＢ時間リソースのインジケーションを受信することと、
前記マッピングと前記インジケーションとに基づいてタイプ０  ＰＤＣＣＨ共通探索空間ＣＯＲＥＳＥＴ時間リソースのロケーションを決定することと、
タイプ０  ＰＤＣＣＨ共通探索空間ＣＯＲＥＳＥＴ中でタイプ０  ＰＤＣＣＨを受信することと
を備える方法を実行するための命令をその上に記憶し、タイプ０  ＰＤＣＣＨ共通探索空間ＣＯＲＥＳＥＴ時間リソースの前記ロケーションは、前記タイプ０  ＰＤＣＣＨ共通探索空間ＣＯＲＥＳＥＴ時間リソースが多重化されるダウンリンク時間リソースに対応し、
前記ダウンリンク時間リソースは、１つまたは複数のＳＳＢ時間リソースを備えるダウンリンク時間リソースの第１のセットとＳＳＢ時間リソースを備えないダウンリンク時間リソースの第２のセットとを備え、前記タイプ０  ＰＤＣＣＨ共通探索空間ＣＯＲＥＳＥＴ時間リソースは、最初に、ダウンリンク時間リソースの前記第１のセットにマッピングされ、次いで、ダウンリンク時間リソースの前記第２のセットにマッピングされた、非一時的コンピュータ可読媒体。
【請求項１２】
タイプ０  ＰＤＣＣＨ共通探索空間ＣＯＲＥＳＥＴ時間リソースのロケーションを決定することは、前記タイプ０  ＰＤＣＣＨ共通探索空間ＣＯＲＥＳＥＴが送信される周波数リソースにさらに基づく、
請求項１１に記載の非一時的コンピュータ可読媒体。
【請求項１３】
タイプ０  ＰＤＣＣＨ共通探索空間ＣＯＲＥＳＥＴ時間リソースのロケーションを決定することは、前記ＳＳＢのサブキャリア間隔と前記タイプ０  ＰＤＣＣＨ共通探索空間ＣＯＲＥＳＥＴのサブキャリア間隔とにさらに基づく、
請求項１１に記載の非一時的コンピュータ可読媒体。
【請求項１４】
前記マッピングは、前記ＳＳＢ時間リソースと前記タイプ０  ＰＤＣＣＨ共通探索空間ＣＯＲＥＳＥＴ時間リソースとの間での１対１のマッピングを備える、
請求項１１に記載の非一時的コンピュータ可読媒体。
【請求項１５】
前記マッピングは、前記ＳＳＢ時間リソースと前記タイプ０  ＰＤＣＣＨ共通探索空間ＣＯＲＥＳＥＴ時間リソースとの間での多対１のマッピングを備える、
請求項１１に記載の非一時的コンピュータ可読媒体。
【手続補正２】
【補正対象書類名】明細書
【補正対象項目名】０１４８
【補正方法】変更
【補正の内容】
【０１４８】
[0178]特許請求の範囲は、上記に示された厳密な構成および構成要素に限定されないことを理解されたい。上記で説明された方法および装置の構成、動作および詳細において、特許請求の範囲から逸脱することなく、様々な改変、変更および変形が行われ得る。
以下に、本願出願の当初の特許請求の範囲に記載された発明を付記する。
［Ｃ１］
ユーザ機器（ＵＥ）によるワイヤレス通信のための方法であって、
タイプ０物理ダウンリンク制御チャネル（ＰＤＣＣＨ）共通探索空間制御リソースセット（ＣＯＲＥＳＥＴ）時間リソースへの同期信号ブロック（ＳＳＢ）時間リソースのマッピングを記憶することと、
ＳＳＢ時間リソースのインジケーションを受信することと、
前記マッピングと前記インジケーションとに基づいてタイプ０  ＰＤＣＣＨ共通探索空間ＣＯＲＥＳＥＴ時間リソースのロケーションを決定することと、
タイプ０  ＰＤＣＣＨ共通探索空間ＣＯＲＥＳＥＴ中でタイプ０  ＰＤＣＣＨを受信することと
を備える、方法。
［Ｃ２］
タイプ０  ＰＤＣＣＨ共通探索空間ＣＯＲＥＳＥＴ時間リソースのロケーションを決定することは、前記タイプ０  ＰＤＣＣＨ共通探索空間ＣＯＲＥＳＥＴが送信される周波数リソースにさらに基づく、
Ｃ１に記載の方法。
［Ｃ３］
タイプ０  ＰＤＣＣＨ共通探索空間ＣＯＲＥＳＥＴ時間リソースのロケーションを決定することは、前記タイプ０  ＰＤＣＣＨ共通探索空間ＣＯＲＥＳＥＴの持続時間にさらに基づく、
Ｃ１に記載の方法。
［Ｃ４］
タイプ０  ＰＤＣＣＨ共通探索空間ＣＯＲＥＳＥＴ時間リソースのロケーションを決定することは、前記ＳＳＢのサブキャリア間隔と前記タイプ０  ＰＤＣＣＨ共通探索空間ＣＯＲＥＳＥＴのサブキャリア間隔とにさらに基づく、
Ｃ１に記載の方法。
［Ｃ５］
タイプ０  ＰＤＣＣＨ共通探索空間ＣＯＲＥＳＥＴ時間リソースの前記ロケーションは、前記タイプ０  ＰＤＣＣＨ共通探索空間ＣＯＲＥＳＥＴ時間リソースが多重化されるダウンリンク時間リソースに対応する、
Ｃ１に記載の方法。
［Ｃ６］
前記ダウンリンク時間リソースは、１つまたは複数のＳＳＢ時間リソースのみを含んでいる、
Ｃ５に記載の方法。
［Ｃ７］
前記ダウンリンク時間リソースは、１つまたは複数のＳＳＢ時間リソースを備えるダウンリンク時間リソースの第１のセットとＳＳＢ時間リソースを備えないダウンリンク時間リソースの第２のセットとを備え、前記タイプ０  ＰＤＣＣＨ共通探索空間ＣＯＲＥＳＥＴ時間リソースは、最初に、ダウンリンク時間リソースの前記第１のセットにマッピングされ、次いで、ダウンリンク時間リソースの前記第２のセットにマッピングされる、
Ｃ５に記載の方法。
［Ｃ８］
前記ダウンリンク時間リソースは、ＳＳＢ時間リソースを含んでいない、
Ｃ５に記載の方法。
［Ｃ９］
前記マッピングは、前記ＳＳＢ時間リソースと前記タイプ０  ＰＤＣＣＨ共通探索空間ＣＯＲＥＳＥＴ時間リソースとの間での１対１のマッピングを備える、
Ｃ１に記載の方法。
［Ｃ１０］
前記マッピングは、前記ＳＳＢ時間リソースと前記タイプ０  ＰＤＣＣＨ共通探索空間ＣＯＲＥＳＥＴ時間リソースとの間での多対１のマッピングを備える、
Ｃ１に記載の方法。
［Ｃ１１］
装置であって、
実行可能命令を備える非一時的メモリと、
前記メモリとデータ通信するプロセッサと
を備え、前記プロセッサは、前記装置に、
タイプ０物理ダウンリンク制御チャネル（ＰＤＣＣＨ）共通探索空間制御リソースセット（ＣＯＲＥＳＥＴ）時間リソースへの同期信号ブロック（ＳＳＢ）時間リソースのマッピングを記憶することと、
ＳＳＢ時間リソースのインジケーションを受信することと、
前記マッピングと前記インジケーションとに基づいてタイプ０  ＰＤＣＣＨ共通探索空間ＣＯＲＥＳＥＴ時間リソースのロケーションを決定することと、
タイプ０  ＰＤＣＣＨ共通探索空間ＣＯＲＥＳＥＴ中でタイプ０  ＰＤＣＣＨを受信することと
を行わせるために前記命令を実行するように構成される、装置。
［Ｃ１２］
タイプ０  ＰＤＣＣＨ共通探索空間ＣＯＲＥＳＥＴ時間リソースのロケーションを決定することは、前記タイプ０  ＰＤＣＣＨ共通探索空間ＣＯＲＥＳＥＴが送信される周波数リソースにさらに基づく、
Ｃ１１に記載の装置。
［Ｃ１３］
タイプ０  ＰＤＣＣＨ共通探索空間ＣＯＲＥＳＥＴ時間リソースのロケーションを決定することは、前記タイプ０  ＰＤＣＣＨ共通探索空間ＣＯＲＥＳＥＴの持続時間にさらに基づく、
Ｃ１１に記載の装置。
［Ｃ１４］
タイプ０  ＰＤＣＣＨ共通探索空間ＣＯＲＥＳＥＴ時間リソースのロケーションを決定することは、前記ＳＳＢのサブキャリア間隔と前記タイプ０  ＰＤＣＣＨ共通探索空間ＣＯＲＥＳＥＴのサブキャリア間隔とにさらに基づく、
Ｃ１１に記載の装置。
［Ｃ１５］
タイプ０  ＰＤＣＣＨ共通探索空間ＣＯＲＥＳＥＴ時間リソースの前記ロケーションは、前記タイプ０  ＰＤＣＣＨ共通探索空間ＣＯＲＥＳＥＴ時間リソースが多重化されるダウンリンク時間リソースに対応する、
Ｃ１１に記載の装置。
［Ｃ１６］
前記ダウンリンク時間リソースは、１つまたは複数のＳＳＢ時間リソースのみを含んでいる、
Ｃ１５に記載の装置。
［Ｃ１７］
前記ダウンリンク時間リソースは、１つまたは複数のＳＳＢ時間リソースを備えるダウンリンク時間リソースの第１のセットとＳＳＢ時間リソースを備えないダウンリンク時間リソースの第２のセットとを備え、前記タイプ０  ＰＤＣＣＨ共通探索空間ＣＯＲＥＳＥＴ時間リソースは、最初に、ダウンリンク時間リソースの前記第１のセットにマッピングされ、次いで、ダウンリンク時間リソースの前記第２のセットにマッピングされる、
Ｃ１５に記載の装置。
［Ｃ１８］
前記ダウンリンク時間リソースは、ＳＳＢ時間リソースを含んでいない、
Ｃ１５に記載の装置。
［Ｃ１９］
前記マッピングは、前記ＳＳＢ時間リソースと前記タイプ０  ＰＤＣＣＨ共通探索空間ＣＯＲＥＳＥＴ時間リソースとの間での１対１のマッピングを備える、
Ｃ１１に記載の装置。
［Ｃ２０］
前記マッピングは、前記ＳＳＢ時間リソースと前記タイプ０  ＰＤＣＣＨ共通探索空間ＣＯＲＥＳＥＴ時間リソースとの間での多対１のマッピングを備える、
Ｃ１１に記載の装置。
［Ｃ２１］
装置であって、
タイプ０物理ダウンリンク制御チャネル（ＰＤＣＣＨ）共通探索空間制御リソースセット（ＣＯＲＥＳＥＴ）時間リソースへの同期信号ブロック（ＳＳＢ）時間リソースのマッピングを記憶するための手段と、
ＳＳＢ時間リソースのインジケーションを受信するための手段と、
前記マッピングと前記インジケーションとに基づいてタイプ０  ＰＤＣＣＨ共通探索空間ＣＯＲＥＳＥＴ時間リソースのロケーションを決定するための手段と、
タイプ０  ＰＤＣＣＨ共通探索空間ＣＯＲＥＳＥＴ中でタイプ０  ＰＤＣＣＨを受信するための手段と
を備える、装置。
［Ｃ２２］
タイプ０  ＰＤＣＣＨ共通探索空間ＣＯＲＥＳＥＴ時間リソースのロケーションを決定することは、前記タイプ０  ＰＤＣＣＨ共通探索空間ＣＯＲＥＳＥＴが送信される周波数リソースにさらに基づく、
Ｃ２１に記載の装置。
［Ｃ２３］
タイプ０  ＰＤＣＣＨ共通探索空間ＣＯＲＥＳＥＴ時間リソースのロケーションを決定することは、前記タイプ０  ＰＤＣＣＨ共通探索空間ＣＯＲＥＳＥＴの持続時間にさらに基づく、
Ｃ２１に記載の装置。
［Ｃ２４］
タイプ０  ＰＤＣＣＨ共通探索空間ＣＯＲＥＳＥＴ時間リソースのロケーションを決定することは、前記ＳＳＢのサブキャリア間隔と前記タイプ０  ＰＤＣＣＨ共通探索空間ＣＯＲＥＳＥＴのサブキャリア間隔とにさらに基づく、
Ｃ２１に記載の装置。
［Ｃ２５］
タイプ０物理ダウンリンク制御チャネル（ＰＤＣＣＨ）共通探索空間制御リソースセット（ＣＯＲＥＳＥＴ）時間リソースへの同期信号ブロック（ＳＳＢ）時間リソースのマッピングを記憶することと、
ＳＳＢ時間リソースのインジケーションを受信することと、
前記マッピングと前記インジケーションとに基づいてタイプ０  ＰＤＣＣＨ共通探索空間ＣＯＲＥＳＥＴ時間リソースのロケーションを決定することと、
タイプ０  ＰＤＣＣＨ共通探索空間ＣＯＲＥＳＥＴ中でタイプ０  ＰＤＣＣＨを受信することと
を備える方法を実行するための命令をその上に記憶した非一時的コンピュータ可読媒体。
［Ｃ２６］
タイプ０  ＰＤＣＣＨ共通探索空間ＣＯＲＥＳＥＴ時間リソースのロケーションを決定することは、前記タイプ０  ＰＤＣＣＨ共通探索空間ＣＯＲＥＳＥＴが送信される周波数リソースにさらに基づく、
Ｃ２５に記載の非一時的コンピュータ可読媒体。
［Ｃ２７］
タイプ０  ＰＤＣＣＨ共通探索空間ＣＯＲＥＳＥＴ時間リソースのロケーションを決定することは、前記タイプ０  ＰＤＣＣＨ共通探索空間ＣＯＲＥＳＥＴの持続時間にさらに基づく、
Ｃ２５に記載の非一時的コンピュータ可読媒体。
［Ｃ２８］
タイプ０  ＰＤＣＣＨ共通探索空間ＣＯＲＥＳＥＴ時間リソースのロケーションを決定することは、前記ＳＳＢのサブキャリア間隔と前記タイプ０  ＰＤＣＣＨ共通探索空間ＣＯＲＥＳＥＴのサブキャリア間隔とにさらに基づく、
Ｃ２５に記載の非一時的コンピュータ可読媒体。
［Ｃ２９］
ユーザ機器（ＵＥ）によるワイヤレス通信のための方法であって、
物理ダウンリンク共有チャネル（ＰＤＳＣＨ）中でのタイプ０物理ダウンリンク制御チャネル（ＰＤＣＣＨ）共通探索空間制御リソースセット（ＣＯＲＥＳＥＴ）の時間ロケーションを決定することと、 
前記タイプ０  ＰＤＣＣＨ共通探索空間ＣＯＲＥＳＥＴの前記周波数ロケーションに基づいて前記ＰＤＳＣＨ中でのタイプ０ａ物理ダウンリンク制御共通探索空間ＣＯＲＥＳＥＴの時間ロケーションを決定することと、
前記タイプ０ａ  ＰＤＣＣＨ共通探索空間ＣＯＲＥＳＥＴを受信することと
を備える、方法。
［Ｃ３０］
タイプ０  ＰＤＣＣＨ共通探索空間ＣＯＲＥＳＥＴの前記時間ロケーションを決定することは、
タイプ０物理ダウンリンク制御チャネル（ＰＤＣＣＨ）共通探索空間制御リソースセット（ＣＯＲＥＳＥＴ）時間リソースへの同期信号ブロック（ＳＳＢ）時間リソースのマッピングを記憶することと、
ＳＳＢ時間リソースのインジケーションを受信することと、
前記マッピングと前記インジケーションとに基づいてタイプ０  ＰＤＣＣＨ共通探索空間ＣＯＲＥＳＥＴ時間リソースの前記時間ロケーションを決定することと
をさらに備える、Ｃ２９に記載の方法。